(57)【要約】【課題】  ネジの緩み脱落に伴う被固定対象自体の脱落・落下を確実に回避し得る固定構造を提供する。【解決手段】  固定対象側のブラケット２５にネジ孔２５１と、凸片部２５２とを備える。被固定対象側のカバー体３に挿通孔３４と、スリット３５とを形成する。カバー体を上から下ろしスリット内に凸片部が差し込まれた状態にした上で、挿通孔とネジ孔とを合致させる。基端側ネジ部４３と、先端側ネジ部４５との間に細径の凹溝部４４を形成したネジ４を挿通孔からネジ孔にねじ込み、基端側ネジ部でネジ孔に締め付ける。ネジ緩みが発生して基端側ネジ部の全ネジ山が脱落したとしても、カバー体は凸片部に支持されて落下することもないし、ネジも先端側ネジ部がストッパの役割を果たして落下することはない。【選択図】      図４
2006300279.tif 000002
【特許請求の範囲】
【請求項１】
固定対象に形成されたネジ孔に対し被固定対象に形成された挿通孔に差し込んで挿通させたネジをねじ込むことにより、被固定対象を固定対象に対し固定してなる固定構造であって、
上記ネジは、基端側の頭部から先端側に延ばされた軸部に、上記ネジ孔にねじ込み可能な基端側のネジ部と先端側のネジ部とが形成され、かつ、これら基端側及び先端側の両ネジ部間に上記ネジ孔の内径よりも細径でそのネジ孔よりも長い軸方向寸法を有する凹溝部が形成されており、
上記先端側ネジ部と凹溝部とが上記ネジ孔の先端側に突き抜けて基端側ネジ部がネジ孔に対し締結された状態で被固定対象が固定対象に対し固定されている
ことを特徴とする固定構造。
【請求項２】
請求項１記載の固定構造であって、
上記固定対象と被固定対象とのいずれか一方には上記ネジの差込方向に直交する方向に突出する凸片部が形成され、他方には上記凸片部が上記直交する方向に差し込まれることにより上記固定対象に対する被固定対象の上記差込方向への移動を規制するスリット部が形成されており、
上記凸片部がスリット部内に差し込まれた状態で、上記基端側ネジ部がネジ孔に締結されている、固定構造。
【請求項３】
固定対象に形成されたネジ孔に対し被固定対象に形成された挿通孔に差し込んで挿通させたネジをねじ込むことにより、被固定対象を固定対象に対し固定してなる固定構造であって、
上記固定対象と被固定対象とのいずれか一方には上記ネジの差込方向に直交する方向に突出する凸片部が形成され、他方には上記凸片部が上記直交する方向に差し込まれることにより上記固定対象に対する被固定対象の上記差込方向への移動を規制するスリット部が形成されており、
上記凸片部がスリット部内に差し込まれた状態で上記ネジがねじ込まれている、
ことを特徴とする固定構造。
【請求項４】
請求項２又は請求項３に記載の固定構造であって、
被固定対象が載置されてその自重を支持する支持部が固定対象に形成され、この支持部に被固定対象が支持された状態で上記凸片部がスリット部内に差し込まれている、固定構造。
【発明の詳細な説明】
【技術分野】
【０００１】
本発明は、例えばケーシング本体に対しこのケーシング本体の前面を覆うカバー体を固定するなど、被固定対象に対し固定対象を固定するために用いられる固定構造に関し、特に固定対象の確実な脱落防止を図り得る技術に係る。
【背景技術】
【０００２】
従来、ケーシング本体に対しカバー体を固定するための固定構造として、図８に示すようなものが採用されている。すなわち、ケーシング本体２００にネジ孔２０１を形成する一方、カバー体３００に挿通孔３０１を貫通形成し、ケーシング本体２００に対しカバー体３００を被せて上記のネジ孔２０１と挿通孔３０１とを合致させ、この状態でネジ４００をカバー体３００の挿通孔３０１から挿通し先端側のネジ部をケーシング本体２００のネジ孔２０１にねじ込んで締結する。以上でカバー体３００はケーシング本体２００に固定されることになる。
【０００３】
一方、固定用のネジ及び座金の脱落防止を意図したネジが特許文献１にて提案されている。このものでは、基端側の頭部から先端側に向けて延びる軸部の全てにネジ部を形成するのではなくて、ネジ孔に締結される基端側のネジ部、ネジが非形成でネジ孔よりも細径の非ネジ部、及び、先端側のネジ部というように一部に非ネジ部を形成するようにしている。
【０００４】
【特許文献１】実開昭５５−６５４０号公報
【発明の開示】
【発明が解決しようとする課題】
【０００５】
ところが、図８に示すような従来の固定構造においては、ネジ４００をネジ孔２０１に対し一旦は強固に締結したとしても、その後に作用する種々の振動を受けてネジ４００の緩みが発生するおそれがある（図８に一点鎖線で示す状態参照）。緩みが一旦生じてしまうと、その後も継続的に振動を受けることにより緩みが増大する可能性があり、長期間に亘り継続的振動の影響を受けるという特殊な環境条件の下では終局的にネジ部がネジ孔２０１から脱落し、このネジ４００の脱落に伴いカバー体３００も脱落してしまう可能性も考えられる。
【０００６】
特に近年の建物の高層化に伴い、屋外の設置物の固定構造ではかかる脱落発生を確実に回避する必要がある。
【０００７】
本発明は、このような事情に鑑みてなされたものであり、その目的とするところは、ネジの緩み脱落に伴う被固定対象自体の脱落・落下を確実に回避し得る固定構造を提供することにある。
【課題を解決するための手段】
【０００８】
上記目的を達成するために、第１の発明では、固定対象に形成されたネジ孔に対し被固定対象に形成された挿通孔に差し込んで挿通させたネジをねじ込むことにより、被固定対象を固定対象に対し固定してなる固定構造を対象として、次の特定事項を備えることとした。すなわち、上記ネジとして、基端側の頭部から先端側に延ばされた軸部に、上記ネジ孔にねじ込み可能な基端側のネジ部と先端側のネジ部とを形成し、かつ、これら基端側及び先端側の両ネジ部間に上記ネジ孔の内径よりも細径でそのネジ孔よりも長い軸方向寸法を有する凹溝部を形成したものとし、上記先端側ネジ部と凹溝部とを上記ネジ孔の先端側に突き抜けさせて基端側ネジ部をネジ孔に対し締結した状態で被固定対象が固定対象に対し固定されてなることとした（請求項１）。
【０００９】
この発明の場合、振動等の作用を受けて上記基端側ネジ部が緩み、基端側ネジ部の全ネジ山がたとえネジ孔から脱落したとしても、凹溝部がネジ孔内に位置し先端側ネジ部がネジ孔の外部に位置してそれ以上の脱落方向への移動を阻止するストッパの役割を果たすことになる。これにより、ネジ自体が落下することはないし、挿通孔内にネジが挿通された状態の被固定対象も落下することはない。
【００１０】
この発明において、さらに次の特定事項を追加することもできる。すなわち、上記固定対象と被固定対象とのいずれか一方に上記ネジの差込方向に直交する方向に突出する凸片部を形成し、他方に上記凸片部が上記直交する方向に差し込まれることにより上記固定対象に対する被固定対象の上記差込方向への移動を規制するスリット部を形成し、上記凸片部がスリット部内に差し込まれた状態で、上記基端側ネジ部がネジ孔に締結されているようにする（請求項２）。この場合には、たとえネジが完全に脱落したとしても、スリット部に差し込まれた凸片部によってネジの差込方向に直交する方向に対する移動規制が果たされているため、ネジの脱落・落下の有無の如何に拘わらず、被固定対象が落下することはない。
【００１１】
一方、第２の発明では、固定対象に形成されたネジ孔に対し被固定対象に形成された挿通孔に差し込んで挿通させたネジをねじ込むことにより、被固定対象を固定対象に対し固定してなる固定構造を対象として、次の特定事項を備えることとした。すなわち、上記固定対象と被固定対象とのいずれか一方に上記ネジの差込方向に直交する方向に突出する凸片部を形成し、他方に上記凸片部が上記直交する方向に差し込まれることにより上記固定対象に対する被固定対象の上記差込方向への移動を規制するスリット部を形成し、上記凸片部がスリット部内に差し込まれた状態で上記ネジがねじ込まれているようにした（請求項３）。
【００１２】
この発明の場合、スリット部に差し込まれた凸片部によってネジの差込方向に直交する方向に対する被固定対象の移動規制が果たされているため、振動等の作用を受けてネジが緩みたとえ完全に脱落したとしても、被固定対象が落下することはなく、確実に保持されることになる。
【００１３】
以上の請求項２又は請求項３に係る発明において、被固定対象が載置されてその自重を支持する支持部を固定対象に形成し、この支持部に被固定対象が支持された状態で上記凸片部がスリット部内に差し込まれているようにすることができる（請求項４）。このようにすることにより、被固定対象の自重が支持部によって固定対象側に支持されるため、上記の被固定対象の落下阻止や保持という作用が安定的に得られることになる。
【発明の効果】
【００１４】
以上、説明したように、請求項１，請求項２又は請求項４の固定構造によれば、振動等の作用を受けて基端側ネジ部の全ネジ山がたとえネジ孔から緩んで脱落したとしても、凹溝部がネジ孔内に位置し先端側ネジ部がネジ孔の外部に位置してそれ以上の脱落方向への移動を阻止するストッパの役割を果たすため、ネジ自体が落下したり、挿通孔内にネジが挿通された状態で保持されている被固定対象が落下したりする事態の発生を確実に阻止して回避させることができる。
【００１５】
特に、請求項２によれば、スリット部と凸片部との組み合わせによってネジの差込方向に直交する方向に対する被固定対象の移動規制を行うことができ、被固定対象の脱落をも回避させることができる。
【００１６】
請求項３又は請求項４の固定構造によれば、スリット部に差し込まれた凸片部によってネジの差込方向に直交する方向に対する被固定対象の移動規制を行うことができ、このため、振動等の作用を受けてネジが緩みたとえ完全に脱落したとしても、被固定対象が落下する事態の発生を確実に阻止して回避させることができる。
【００１７】
特に請求項４によれば、被固定対象の自重を支持部によって固定対象側に支持させるこでき、上記の被固定対象の落下阻止や保持という作用を安定的に得ることができるようになる。
【発明を実施するための最良の形態】
【００１８】
以下、本発明の実施形態を図面に基づいて説明する。
【００１９】
図１は本発明を給湯器の配管カバー用のケーシングに適用した実施形態の分解斜視図を示し、図２は固定した状態の部分正面図である。同図中の符号２は固定対象としてのケーシング本体、３はこのケーシング本体２の前面を遮蔽する被固定対象としてのカバー体、４，４はそれぞれネジである。上記配管カバーは、給湯器に対し外部から延長敷設されて接続される配管類を、その周囲から覆ってカバーするために設置されるものである。
【００２０】
上記ケーシング本体２は、図１に示すように、左右両側の側壁２１，２１と、これら両側の側壁２１，２１を互いに連結するための連結杆２２，２３，２４とから構成されており、連結杆２２，２３，２４によって両側の側壁２１，２１が所定間隔を隔てて互いに平行に立設した状態に一体化されたものである。連結杆の数や剛性の設定はケーシング本体２の構造的強度を保持し得るように適宜選択すればよいが、図例のものでは、両側の側壁２１，２１の下側位置に前端部位同士を連結する前下部連結杆２２と、後端部位同士を連結する後下部連結杆２３との２本が配設され、上側位置に前端部位同士を連結する上部連結杆２４の１本が配設されている。各連結杆２２，２３，２４は、それぞれ取付片部２２１，２３１，２４１，２４２において点溶接、ビス止め又はボルト・ナット等の手段によって側壁２１，２１と固定されている。そして、両側の側壁２１，２１の相対向面間と、前後の下部連結杆２２，２３の間の空間を上下に通過するように配管Ｐ等が配置されるようになっている。なお、図１には１本の配管Ｐのみ示すが、これは例示であって通常は給水管、給湯管、燃料供給管等の複数の配管が配置されるようになっている。
【００２１】
上記の前下部連結杆２２には、図３にも示すようにその長手方向の中間部位の上端縁が後側（図１の斜め左側、図３の左側）に折曲されて所定位置まで延ばされており、これにより、上面が平らにされた支持部２２２と、この支持部２２２の後側縁により構成された当止部２２３とが形成されている。
【００２２】
上記の上部連結杆２４は剛性を高めるためにＬ字状断面を有するように形成される一方、その左右両側位置にはそれぞれブラケット２５が溶接等の手段により固定されている。これらブラケット２５，２５は上記のカバー体３を固定するためのものである。各ブラケット２５はネジ孔２５１と、上向きに突出する凸片部２５２とを一体に備えたものである。上記ネジ孔２５１は、ブラケット２５を薄板材料により形成しているため、バーリング加工により孔縁が内方に折れ曲がって突出するように形成されている。各ブラケット２５の具体形状例について図３及び図４を参照しつつより詳細に説明すると、上部連結杆２４に溶接固定される固定片部２５３と、この固定片部２５３の前端位置から下向きに延びる垂下片部２５４と、この垂下片部２５４の下端位置から前側に延びる延設片部２５５と、この延設片部２５５の前端位置から上向きに延びてカバー体３に当接することになる当接片部２５６とからなり、この当接片部２５６の上端縁から上方に上記凸片部２５２が突出するように形成されている。つまり、垂下片部２５４、延設片部２５５及び当接片部２５６によってＵの字状の断面形状を有するように形成されている。
【００２３】
上記カバー体３は、上記両側の側壁２１，２１の前端縁間に開口する前面開口部分を遮蔽するカバー壁３１と、このカバー壁３１の上下両側に内向きに折曲されたフランジ部３２，３３とを備えたものである。上記カバー壁３１の上端側位置には挿通孔３４，３４が貫通形成され、カバー壁３の上端から上部フランジ部３２にかけての境界位置にはスリット３５，３５が開口するように形成されている。加えて、上記下部フランジ部３３には上記前下部連結杆２２の支持部２２２に載せられて支持される座部３３１と、この座部３３１の先端から下向きに屈曲されて上記当止部２２３に当止して前方側への移動が阻止される規制部３３２とが形成されている。
【００２４】
上記の各挿通孔３４はネジ孔２５１と同等以上、好ましくは僅かに大きい内径を有し、上記の各スリット３５は上記挿通孔３４，３４をネジ孔２５１，２５１に合致させた状態で凸片部２５２が下から上に突き抜け得る位置・寸法に形成されている。特にネジ４の差込方向Ｘ（ネジ部４２の軸方向に合致）のスリット３５の内幅寸法Ｓ（図５参照）は、基端側ネジ部４３の軸方向寸法Ｎよりも小さくかつ凸片部２５２の板厚ｔよりも大きく設定されるものの、この差（Ｓ−ｔ）が後述の如くがたつきの最大量となるため、凸片部２５２のスリット３５への差込作業の支障とならない範囲で可能な限り板厚ｔに近い寸法に設定されている。
【００２５】
上記のネジ４は、基端側の頭部４１と、頭部４１から先端側に延びる軸部４２とからなるものであり、この軸部４２には基端側ネジ部４３と、凹溝部４４と、先端側ネジ部４５とが形成されている。基端側ネジ部４３及び先端側ネジ部４５は、共に各ブラケット２５のネジ孔２５１に対しねじ込み可能に形成されるものの、上記先端側ネジ部４５は、凹溝部４４の先端側に配置される膨大部もしくはストッパ部としての役割を果たすものであり、前提としてネジ孔２５１を通過させる必要があるためネジ切りしたものである。上記凹溝部４４はネジ孔２５１の内径よりも小径に形成され、かつ、その軸方向寸法Ｍ（図５参照）がネジ孔２５１の軸方向寸法Ｈよりも僅かに長くなるように形成されている。
【００２６】
なお、上記ネジの頭部４１は工具なしで手作業によりネジ４を締めたり緩めたりし得るように樹脂成形によりかなり大径に形成され、かつ、プラスドライバ用にプラス形の操作溝４１１も形成されている。この操作溝４１１はコインを用いた回動操作の可能性も考慮してその溝幅や溝底形状が所定のものに形成されている。
【００２７】
以上説明したケーシング本体２、カバー体３及びネジ４，４を用いて、ケーシング本体４に対しカバー本体３を固定するには、まず、カバー体３を両ブラケット２５，２５及び前下部連結杆２２よりも上方位置に持っていき、この位置から下側の規制部３３２（図３参照）が当止部２２３の後側（図３の左側）位置で当接して座部３３１が支持部２２２の上に載るようにしつつ、スリット３５，３５内に凸片部２５２，２５２が入り込んで上に突き抜けるようにカバー体３を下げていく。下側では上記規制部３３２が当止部２２３に当たって座部３３１が支持部２２２に載置された状態で、上側ではスリット３５，３５内に凸片部２５２，２５２が差し込まれた状態にすると、カバー体３はそれ自体で自立してケーシング本体２に対し仮固定された状態になる。
【００２８】
すなわち、カバー体３の下側においては、座部３３１が支持部２２２に載置されることによりカバー体３が安定的に支持されてその下方移動が阻止され、規制部３３２が当止部２２３に当止することによりカバー体３の前側（図３の右側）への移動が阻止される。一方、カバー体３の上側においては、スリット３５，３５内に凸片部２５２，２５２が差し込まれることにより、カバー体３の前後方向（図３の左右方向）の移動が上記の寸法差（Ｓ−ｔ）の範囲に規制され、かつ、左右方向（図３の紙面に直交する方向）への移動も規制される。以上によりカバー体３は、この状態だけでも自立しかつほぼ安定的にケーシング本体２と一体化された状態に仮固定される。
【００２９】
次に、挿通孔３４，３４をネジ孔２５１，２５１に合致させてネジ４，４をねじ込んでいく。具体的には先端側ネジ部４５をネジ孔２５１にねじ込んで突き抜けさせ、凹溝部４４を奥へ通過させ、最後に基端側ネジ部４３をネジ孔２５１にねじ込んで締め付ける。これにより、図３に実線で示す状態のように固定され、この状態では上記の仮固定の状態からカバー板３のカバー壁部３１がブラケット２５の当接片部２５６に対し強固に密着してがたつきのない状態となる。
【００３０】
以上の固定作業の後、実用に供せられ、外部から何らかの振動が作用することにより上記のネジ４，４に緩みがたとえ生じたとしても、そして、その緩みが増幅されて基端側ネジ部４３の全てのネジ山がネジ孔２５１から脱落したとしても、ネジ４の下方への脱落・落下も、カバー体３の脱落・落下も共に回避することができる。すなわち、基端側ネジ部４３の全てのネジ山（雄ネジ山）がネジ孔２５１から脱落すると、図６に示すように、凹溝部４４がネジ孔２５１内に位置してネジ孔２５１の内周面のネジ山（雌ネジ山）との係合が外れる一方、基端側ネジ部４３にカバー体３の自重を受けるため、ネジ孔２５１よりも細径な分、凹溝部４３がネジ孔２５１内で傾き、先端側ネジ部４５がネジ孔２５１に対し抜け止めのストッパとして機能することになる。このため、ネジ４のそれ以上の脱落が阻止され、ネジ４の落下やカバー体３の落下を阻止することができる。
【００３１】
＜他の実施形態＞
なお、本発明は上記実施形態に限定されるものではなく、その他種々の実施形態を包含するものである。すなわち、上記実施形態ではブラケット２５としてＵの字状の断面形状を有するものを示したが、これに限らず、例えばＬの字状の断面形状に形成してもよい。要するにネジ孔２５１と凸片部２５２とを備えたものであればよい。さらに、ブラケット２５をバネ板材料により形成し、外部から振動が作用したとしても、振動緩和によりネジ緩みの抑制め緩和を図るようにしてもよい。
【００３２】
上記実施形態では、ケーシング本体２の側に凸片部２５２を、カバー体３の側にスリット３５をそれぞれ形成しているが、これに限らず、逆にしてもよい。例えば図７に示すように、カバー体３ａに下向きの凸片部３５ａを形成し、ケーシング本体の側（ブラケット２５ａの側）にスリット２５２ａを形成し、上記凸片部３５ａをスリット２５２ａに対し上から下に差し込むようにすればよい。
【００３３】
上記実施形態ではスリット３５及び凸片部２５２の組み合わせと、凹溝部４４を有するネジ４との双方を備えた固定構造としているが、これに限らず、スリット３５及び凸片部２５２の組み合わせに通常のネジ（軸部が全てネジ部のネジ）を適用して固定構造を構成するようにしてもよい。この場合でも、ネジがたとえ全て脱落したとしてもカバー体はスリット３５及び凸片部２５２の組み合わせにより脱落や落下は阻止することができる。
【００３４】
又、スリット３５及び凸片部２５２の組み合わせを省略して上記実施形態のネジ４をネジ孔２５１にねじ込んで固定することにより固定構造を構成するようにしてもよい。この場合でも、ネジ４がたとえ緩んだとしても、そのネジ４がケーシング本体から落下することはなく、ネジ４の頭部４１に支持されたカバー体３も脱落・落下することはない。
【００３５】
上記実施形態では、ネジ孔２５１としてバーリング加工により形成した例を示したが、これに限らず、孔縁の肉厚部分にねじ切りしたり、あるいは、薄板材料にナットを溶接により固定してこのナットの孔によりネジ孔を構成したりするようにしてもよい。
【００３６】
上記実施形態では本発明の固定構造を配管カバーに適用したものを示したが、これに限らず、給湯器の据置台とその前面カバーとの固定などに本発明を適用し得るものである。
【図面の簡単な説明】
【００３７】
【図１】本発明の実施形態を適用した配管カバーを示す分解斜視図である。
【図２】カバー体をケーシング本体に固定した状態の部分正面図である。
【図３】図２のＡ−Ａ線における拡大断面説明図である。
【図４】ブラケット部分とカバー体との分解状態の斜視図である。
【図５】図３の部分図である。
【図６】緩みが生じた場合の図５相当図である。
【図７】他の形態を示す図５対応図である。
【図８】従来採用されている固定構造の例を示す断面説明図である。
【符号の説明】
【００３８】
２              ケーシング本体（固定対象）
３，３ａ        カバー体（被固定対象）
４              ネジ
２５１          ネジ孔
２５２，３５ａ  凸片部
３４            挿通孔
３５，２５２ａ  スリット
２２２          支持部
Ｘ              差込方向
【図１】
2006300279.tif 000003
【図２】
2006300279.tif 000004
【図３】
2006300279.tif 000005
【図４】
2006300279.tif 000006
【図５】
2006300279.tif 000007
【図６】
2006300279.tif 000008
【図７】
2006300279.tif 000009
【図８】
2006300279.tif 000010